【事件の表示】
　昭和６１年特許願第２７２９７８号「データ処理装置」拒絶査定に対する審判事件〔昭和６３年　５月３１日出願公開、特開昭６３−１２７３１５、平成　７年１２月２５日出願公告、特公平　７−１２２８３９、特許請求に係る発明の数（ １ ）〕について、次のとおり審決する。
【結　論】
　原査定を取り消す。
　本願の発明は、特許すべきものとする。
【理　由】
１．本願の経緯、本願発明
　本願は、昭和61年11月18日の出願であって、その発明の要旨は、出願公告後の平成10年12月７日付け手続補正書により補正された明細書及び図面の記載からみて、その特許請求の範囲に記載された次のとおりのものである。（以下、「本願発明」という。）
「バックアップが可能な記憶手段と、
　プログラムを実行する実行手段と、
　電源のオン・オフを指示する指示手段と、
　前記指示手段により電源オフが指示された場合に、前記実行手段により実行されているプログラムを、次回電源オン時に継続実行するか再実行するかを、前記電源オフ指示に応じた該実行されているプログラムからの指定に基づいて判断する判断手段と、
　前記判断手段による判断結果を示す情報として、
前記プログラムを継続実行すると判断された場合には、継続実行の際に必要な情報及び継続実行する旨を示す情報を、また、前記プログラムを再実行すると判断された場合には、再実行する旨を示す情報を前記記憶手段に格納する格納手段と、
　前記格納手段による格納の終了後に電源をオフする電源オフ手段と、
　前記指示手段により電源オンが指示された場合に、前記記憶手段に記憶された情報の示す前記判断結果に基づいて、継続実行する旨を示す情報が記憶されている場合には、前記継続実行の際に必要な情報に基づいて前記プログラムを継続実行し、再実行する旨を示す情報が記憶されている場合には、前記プログラムを再実行するように前記実行手段を制御する制御手段とを具備したことを特徴とするデータ処理装置。」
　
２．引用例
　これに対して、原査定の拒絶の理由である特許異議の決定の理由において引用された、本願の出願の日前の他の出願であって、その出願後に公開された実願昭61-74619号（実開昭62-187332号）のマイクロフイルム（以下、「先願明細書」という。）には、次の事項が記載されている。
(i) 「この考案はプログラム機能を有する小型電子計算機（ポケットコンピュータ、・・・等）に関し、特に、パワーオン（電源投入）時の動作の制御に関する。」（第２頁第８〜12行）
(ii) 「この考案は、・・・パワーオン時に計算機を初期化させるか、以前に実行していたプログラムを継続して実行させるかの選択をユーザーが自由に設定することができる。」（第４頁第９〜12行目）
　プログラムの実行モードでは、・・・RAM60より読み出されるプログラムの内容はCPU30内のリスタートコマンド検知部30ｄにおいてもモニターされる。リスタートコマンド検知部30ｄはリスタートオンコマンドを検知したときにはCPU30内のフラグ30ｅをセットし、また、リスタートオフコマンドを検知したときにはフラグ30ｅをリセットする。
　パワースイッチ10がオフ位置に動かされると、CPU30は、実行中のプログラムを停止し、かつ後のパワーオンの際、そのプログラムが再開できるように、プログラムカウンタ30ｂを始め、各種の内部レジスタの値を保持する。
　再度パワーオンがなされると、その信号とフラグ30ｅの出力Ｑ’(なお、先願明細書においては、Ｑ’はＱの上バーで記載されている。以下、同じ。）とのアンドがとられ、その結果がプログラムカウンタ30ｂのリセット入力に加えられる。
　したがって、パワーオフによって中断されたプログラムが、リスタートオン命令を含むときには、既にリスタートコマンド検知部30ｄによりそのコマンドが検知されているため、フラグ30ｅのＱ’は論理“０”であり、プログラムカウンタ30ｂにはリセットがからない。このため、プログラムカウンタ30ｂを始めとする制御部30ａはパワーオフによって中断されたプログラムを再開ないし続行する。
　一方、パワーオフによって中断されたプログラムがリスタートオフ命令を含むときには、そのコマンドが既にリスタートコマンド検知部30ｄにより検知されているため、フラグ30ｅのＱ’は論理“１”となっている。このため、パワーオンに応答してプログラムカウンタ30ｂはリセットされ、ROM50の先頭番地より始まるイニシャライズ処理のプログラムが実行される。」（第７頁第13行〜第10頁第２行目）
(iv) 「パワーオフの際、プログラムの再開に必要な情報をメモリに退避させ、プログラムカウンタに、退避情報の再フェッチを行う先頭の命令の格納番地情報を入れるようにし、必要のない他レジスタ等の電源供給を停止させるようにしてもよい（電力消費節約）。
  あるいは、プログラムの実行中にリスタートオン（プログラム再開）のコマンドを検知したときのみ、パワーオフに際し、パワーオン時にプログラムが再開できるよう必要な情報を保持させ、リスタートオンのコマンドがかかっていないときには特に手当てをせず、パワーオン時にプログラムカウンタ等をリセットして初期状態より動作が再開されるようにしてもよい。」（第12頁第10〜第13頁第15行）
　
３．対比・判断
　そこで、本願発明と上記先願明細書に記載された考案（以下、「先願考案」という。）とを対比する。
　先願考案における「RAM60」、「CPU30」、及び「パワースイッチ10」は、それぞれ本願発明における「記憶手段」、「実行手段、判断手段、格納手段、及び制御手段」、及び「指示手段」に相当する。また、先願考案における「リスタートオンコマンド20ｄ及びリスタートオフコマンド20ｅ」は、プログラムに次回電源オン時にCPUが実行する該プログラムを継続実行するか再実行するかを指定する命令のことであるから、本願発明における「実行手段により実行されているプログラムを、次回電源オン時に継続実行するか再実行するかを決めるプログラムからの指定」に相当する。また、先願考案における「プログラムカウンタ30ｂ及び内部レジスタの値」、「フラグ30ｅのセット」「フラグ30ｅのリセット」、及び「小型電子計算機」は、それぞれ、本願発明における「継続実行の際必要な情報」、「継続実行する旨を示す情報」、「再実行する旨を示す情報」、及び「データ処理装置」に相当する。そうすると、両者は、記憶手段と、プログラムを実行する実行手段と、電源のオン・オフを指示する指示手段と、前記指示手段により電源オフが指示された場合に、前記実行手段により実行されているプログラムを、次回電源オン時に継続実行するか再実行するかを、前記電源オフ指示に応じた該実行されているプログラムからの指定に基づいて判断する判断手段と、前記判断手段による判断結果を示す情報として、前記プログラムを継続実行すると判断された場合には、継続実行の際に必要な情報及び継続実行する旨を示す情報を、また、前記プログラムを再実行すると判断された場合には、再実行する旨を示す情報を格納する格納手段と、前記格納手段による格納の終了後に電源をオフする電源オフ手段と、前記指示手段により電源オンが指示された場合に、前記格納手段に記憶された情報の示す前記判断結果に基づいて、継続実行する旨を示す情報が記憶されている場合には、前記継続実行の際に必要な情報に基づいて前記プログラムを継続実行し、再実行する旨を示す情報が記憶されている場合には、前記プログラムを再実行するように前記実行手段を制御する制御手段とを具備したデータ処理装置である点では一致するものの、実行されているプログラムを次回オン時に継続実行するか再実行するかの情報に関し、本願発明においては、前記プログラムを継続実行すると判断された場合には、継続実行の際に必要な情報及び継続実行する旨を示す情報を、また、プログラムを再実行すると判断された場合には、再実行する旨を示す情報をバックアップ可能な記憶手段に格納するものであるのに対し、先願考案においては、プログラムを継続実行すると判断された場合には、継続実行の際に必要な情報及び継続実行する旨を示す情報を、また、プログラムを再実行すると判断された場合には、再実行する旨を示す情報をCPUに格納する点で相違する。また、この相違点を課題解決のための具体化手段における微差であるとすることはできない。
　そして、本願発明は上記相違点の構成を含む構成により明細書に記載の効果を奏するものである。　　　　　　　　　　　　　　　　　　　　　　　
　
４．むすび
　したがって、本願発明は上記先願考案と同一であるとすることはできない。　　
　また、他に本願を拒絶すべき理由を発見しない。　
　よって、結論のとおり審決する。